(57)【特許請求の範囲】
【請求項１】
下部に天井材が取り付けられる鋼製野縁が該鋼製野縁と直交するように配置された鋼製野縁受けに固定され、前記鋼製野縁受けは構築物の壁体間に水平に架設された鋼製吊梁によって支持されており、
前記鋼製野縁受けは、野縁受け金物を介して前記鋼製吊梁に取り付けられており、
前記野縁受け金物には、前記鋼製吊梁に対する野縁受け金物の固定位置を、上下方向と前記鋼製吊梁の延在方向とに調整して位置決めすることができる調整固定手段が設けられていること、を特徴とする天井野縁構造。
【請求項２】
野縁受け金物は、前記鋼製吊梁の上方と下方に配設される上部材と下部材とを有し、調整固定手段は、前記上部材と下部材と、これら上部材と下部材に、前記鋼製吊梁に向かって突出可能にそれぞれ螺合されたボルトとを具備したこと、を特徴とする請求項１に記載の天井野縁構造。
【請求項３】
野縁受け金物は、前記鋼製野縁受けが挿通される開口部と、該開口部の縁部に、前記鋼製野縁受けの挿通方向に突出された突部と、この突部に、前記開口部に挿通される前記鋼製野縁受けに向かって突出可能に螺合されたボルトとを具備していること、を特徴とする請求項１または２に記載の天井野縁構造。
【請求項４】
鋼製吊梁は、上フランジと下フランジを有し、前記鋼製野縁受けは、前記鋼製吊梁の上下フランジの間に配置されていること、を特徴とする請求項１〜３のいずれかに記載の天井野縁構造。
【請求項５】
鋼製野縁は、前記鋼製吊梁と平行に配置されており、前記壁体には、前記鋼製吊梁と直交する方向に延在する桟材が固定され、この桟材には端部受け材が固定され、前記鋼製野縁の端部は、前記端部受け材に固定されていること、を特徴とする請求項１〜４のいずれかに記載の天井野縁構造。
【請求項６】
壁体には、下地板が前記桟材に当接した状態で固定され、該下地板には吊梁受け金物が固定され、この吊梁受け金物には、前記鋼製吊梁の端部が固定されていること、を特徴とする請求項５記載の天井野縁構造。
【発明の詳細な説明】
【０００１】
【発明の属する技術分野】
本発明は、部屋に天井を構成する天井野縁構造に係り、特に、スパンの長い天井野縁を有する天井野縁構造に関するものである。
【０００２】
【背景の技術】
従来、部屋に天井を構成する場合、例えば、部屋の上部側に天井野縁を組み、この天井野縁に天井板を貼設することが多い。
天井板を貼設する天井野縁として、実公平４−４０８７号公報に記載のものが知られている。
【０００３】
この天井野縁は、部屋の互いに対向する壁面に、開口部が対向する断面コ字状のランナーを固定し、この各ランナーの開口部に断面がロ字状またはコ字状の野縁の両端を嵌合することによって構成されている。そして、この構成の天井野縁においては、ねじ等の止着部材を用いて前記野縁の下面に天井板を固定することによって、天井を形成するようになっている。
そして、部屋の上部に組まれる天井野縁のスパンが長い場合には、天井スラブに固定した垂下枠に天井野縁の途中箇所をねじ止めするようにしている。
【０００４】
【発明が解決しようとする課題】
しかし、構築物において、上述した天井スラブが上階の床部を構成し、この天井スラブに垂下枠を介して、スパンの長い天井野縁を吊り下げて支持する構成とした場合、天井野縁には上記垂下枠を介して上階床部つまり、天井スラブの振動が伝わりやすい。
【０００５】
本発明は、上記事情を鑑みてなされたもので、その目的は、木製の建築部材により構成された構築物に、スパンの長い野縁を組み込んでも、上階の床部の振動が伝わることがないとともに、該野縁を十分に支持することができる天井野縁構造を提供することにある。
【０００６】
【課題を解決するための手段】
以上の課題を解決すべく請求項１記載の発明は、例えば、図２および図１１に示すように、下部に天井材が取り付けられる鋼製野縁６が該鋼製野縁６と直交するように配置された鋼製野縁受け３に固定され、前記鋼製野縁受け３は構築物の壁体１１，１２間に水平に架設された鋼製吊梁２によって支持されており、鋼製野縁受け３は、野縁受け金物４を介して前記鋼製吊梁２に取り付けられており、前記野縁受け金物４には、前記鋼製吊梁２に対する野縁受け金物４の固定位置を、上下方向と前記鋼製吊梁２の延在方向とに調整して位置決めすることができる調整固定手段（４１，４２，４４，４５）が設けられているものである。
【０００７】
前記鋼製吊梁２は、構築物の壁体１１、１２間に水平に架設され、前記鋼製野縁６および鋼製野縁受け３を支持するものであるならば、どの様に構成されていてもよく、筒状のものや、Ｈ型鋼、Ｉ型鋼、コ字状の鋼材といったもの等が挙げられる。なお、前記構築物はどの様に構成されたものであってもよい。
前記鋼製野縁受け３は、前記鋼製野縁６が固定されれば、どの様に構成されていてもよい。また、前記鋼製野縁６は前記鋼製野縁受け３にどの様に固定されていてもよく、直接固定されていても良いし、また、両部材間に介在させて両部材を接続する接続部材を介して固定されるように構成されていても良い。
【０００８】
請求項１記載の天井野縁構造にあっては、鋼製野縁６は鋼製野縁受け３に固定され、この鋼製野縁受け３は、構築物の壁体１１，１２間に水平に架設された鋼製吊梁２により支持されているので、前記鋼製野縁６は、前記鋼製野縁受け３を介して前記鋼製吊梁２により吊り下げられて支持された状態となる。
【０００９】
したがって、スパンの長い鋼製野縁６であっても、前記鋼製野縁６は前記鋼製吊梁２に支持されるものとなり、該鋼製野縁６は撓まず、前記鋼製吊梁２に十分支持された状態となる。よって、前記鋼製野縁６に取り付けられている天井材９が撓んだり、この天井材９の下面が下がることがない。また、前記天井材９が固定されている鋼製野縁６は、前記鋼製吊梁２によって支持されているので、この構造を複数階層を有する構築物の下階の天井に適用した場合、上階の床部１０の振動が前記鋼製野縁受け３を介して前記鋼製野縁６に伝わることがない。
また、前記鋼製野縁受け３を鋼製吊梁２に取り付ける前記野縁受け金物４には、前記鋼製吊梁２に対する野縁受け金物４の固定位置を、上下方向と前記鋼製吊梁２の延在方向とに調整して位置決めすることができる調整固定手段（４１，４２，４４，４５）が設けられているので、この調整固定手段（４１，４２，４４，４５）により前記鋼製吊梁２に対する野縁受け金物４の固定位置を調節して位置決め固定することができ、この野縁受け金物４を介して前記鋼製吊梁２に取り付けられている前記鋼製野縁６の配置位置を変更することができる。
特に上下方向に調節することができることにより、前記野縁受け金物４を介して前記鋼製吊梁２に取り付けられる前記鋼製野縁６の上下方向の位置を調節することができるので、部材や取り付け設計寸法の誤差などによって、前記鋼製野縁６に取り付けられる天井材９が水平に配設されない場合でも、容易に調節して変更することができる。
【００１３】
請求項２記載の発明は、請求項１に記載の天井野縁構造において、例えば、図１１に示すように、野縁受け金物４は、前記鋼製吊梁２の上方と下方に配設される上部材４１と下部材４２とを有し、調整固定手段は、前記上部材４１と下部材４２と、これら上部材４１と下部材４２に、前記鋼製吊梁２に向かって突出可能にそれぞれ螺合されたボルト４４，４５とを具備したものである。
【００１４】
請求項２記載の天井野縁構造にあっては、請求項１に記載の発明と同様の効果を得ることができるとともに、前記野縁受け金物４に設けられる前記調整固定手段は、前記鋼製吊梁２の上方と下方に配設される上部材４１と下部材４２と、これら上下部材４１，４２に、前記鋼製吊梁２に向かって突出可能にそれぞれ螺合されたボルト４４，４５とからなるので、前記野縁受け金物４の上下部材４１，４２にそれぞれ螺合されたボルト４４，４５の締め具合を調節することにより、先端部４４ａ，４５ａを前記鋼製吊梁２に上下方向から当接させて、該鋼製吊梁２に前記野縁受け金物４を位置決め固定することができる。したがって、前記ボルト４４，４５を締めたり緩めたりすることにより、前記野縁受け金物４の、前記鋼製吊梁２に対する固定位置を容易に吊設することができ、これに追従して前記鋼製野縁６の配置位置も容易に位置決め固定することができる。
【００１５】
具体的には、前記上部材４１に螺合されているボルト４４を緩めておいて、前記下部材４２に螺合されているボルト４５を締めたり緩めたりすることにより、前記野縁受け金物４の前記鋼製吊梁２に対する位置が上下する。そして、所定の位置に前記野縁受け金物４を配置してから、前記上部材４１に螺合されているボルト４４を前記鋼製吊梁２に向かって突出させて、該ボルト４４の先端部４４ａを前記鋼製吊梁２に当接させることにより、前記野縁受け金物４を前記鋼製吊梁２に固定することができる。
これに対して、前記下部材４２に螺合されているボルト４５を緩めておいて、前記上部材４１に螺合されているボルト４４を締めたり緩めたりしても、同様の作用効果を得ることできる。
【００１６】
請求項３記載の発明は、請求項１または２に記載の天井野縁構造において、例えば、図１３に示すように、野縁受け金物４は、前記鋼製野縁受け３が挿通される開口部４６と、該開口部４６の縁部に、前記鋼製野縁受け３の挿通方向に突出された突部４８と、この突部４８に、前記開口部４６に挿通される前記鋼製野縁受け３に向かって突出可能に螺合されたボルト４９とを具備しているものである。
【００１７】
請求項３記載の天井野縁構造にあっては、請求項１または２記載の発明と同様の効果を得ることができるとともに、野縁受け金物４は、前記鋼製野縁受け３が挿通される開口部４６と、該開口部４６の縁部に、前記鋼製野縁受け３の挿通方向に突出された突部４８と、この突部４８に、前記開口部４６に挿通される前記鋼製野縁受け３に向かって突出可能に螺合されたボルト４９とを具備しているので、前記開口部４６に前記鋼製野縁受け３を挿通させて前記ボルト４９を締めれば、該ボルト４９の先端４９ａが前記鋼製野縁受け３に当接することなり、該ボルト４９の先端４９ａと前記開口部４６の縁部とで前記鋼製野縁受けを挾持することができる。
【００１８】
したがって、前記野縁受け３を、前記野縁受け金物４に、該野縁受け金物４の開口部４６に挿通して前記ボルト４９を締めることによって、容易に固定することできる。
また、前記鋼製野縁６の前記取り付け金物４に対する固定位置を変更する場合でも、ボルト５０を緩めて、前記野縁受け金物４に対して所定の位置に前記鋼製野縁６を移動させて前記ボルト４９を締めることにより、容易にその位置変更を行うことができる。
【００１９】
請求項４記載の発明は、請求項１〜３のいずれかに記載の天井野縁構造において、鋼製吊梁２は、上フランジ２０と下フランジ２１を有し、前記鋼製野縁受け３は、前記鋼製吊梁２の上下フランジ２０，２１の間に配置されているものである。
【００２０】
具体的に、上下フランジを有する前記鋼製吊梁を挙げれば、Ｈ型鋼やＩ型鋼等が挙げられる。また、断面コ字状の鋼製吊梁であってもよい。
【００２１】
請求項４記載の天井野縁構造にあっては、請求項１〜３のいずれかに記載の発明と同様の効果を得ることができるとともに、前記鋼製野縁受け３は、前記構築物の壁体１１，１２間に水平に架設された前記鋼製吊梁２の有する上下フランジ２０，２１の間に配置されているので、前記鋼製野縁受け３を配置する際、容易に、水平に配置することができる。また、前記鋼製野縁受け３の端部が前記鋼製吊梁２の上下フランジ２０，２１間に配置されるように構成されていれば、前記鋼製野縁受け３を前記鋼製吊梁２によって支持されるように設置する際に微妙な調整などを行うときに、前記鋼製野縁受け３が自重で下方に下がっても、前記鋼製吊梁２の下フランジ２１に掛止され、前記鋼製野縁受け３の自重による該鋼製野縁受け３の固定位置調整作業の妨げを防ぐことが出来、該固定位置調整作業が容易に行える。
【００２２】
請求項５記載の発明は、請求項１〜４のいずれかに記載の天井野縁構造において、例えば、図５に示すように、鋼製野縁６は、前記鋼製吊梁２と平行に配置されており、前記壁体１１には、前記鋼製吊梁２と直交する方向に延在する桟材１８が固定され、この桟材１８には端部受け材１６が固定され、前記鋼製野縁６の端部６ａは、前記端部受け材１６に固定されているものである。
【００２３】
請求項５記載の天井野縁構造にあっては、請求項１〜４のいずれかに記載の発明と同様の効果を得ることができるとともに、前記鋼製吊梁２と直交する方向に延在するように前記壁体１１に固定された桟材１８に、端部受け材１６が固定され、前記鋼製野縁６の端部６ａは、前記端部受け材１６に固定されているので、前記鋼製野縁６の下部に取り付けられた耐火性を有する天井材９の端部が前記壁体に当接せず、前記桟材１８が底目地となるように天井端部の納まりを底目地状態とする場合、該桟材１８の下面に石膏ボード１９といった耐火材を取り付けることができ、天井端部の納まり部分の防火を容易に行える。
【００２４】
請求項６記載の発明は、請求項５記載の天井野縁構造において、例えば、図５に示すように、壁体１１には、下地板２４が前記桟材１８に当接した状態で固定され、該下地板２４には吊梁受け金物２３が固定され、この吊梁受け金物２３には、前記鋼製吊梁２の端部２ａが固定されているものである。
【００２５】
請求項６記載の天井野縁構造にあっては、請求項５記載の発明と同様の効果を得ることができるとともに、前記桟材１８に当接した状態で前記壁体１１に固定されている前記下地板２４には、吊梁受け金物２３が固定され、この吊梁受け金物２３には、前記鋼製吊梁２の端部２ａが固定されているので、前記壁体１１に前記桟材１８または前記下地材２４のうちいずれか一方を正確な位置、例えば、水平方向に固定しておけば、他方を前記壁体１１に固定する際、固定された一方に当接させて前記壁体１１に固定することにより、その位置決めを容易におこなうことができ、施工期間を短縮することができる。
【００２６】
また、桟材１８を前記壁体１１に取り付けてから、前記下地板２４を前記壁体１１に固定する際、前記桟材１８に当接させて安定した状態で固定することができ、その施工性が向上する。さらに、前記壁体１１に安定した状態で固定された下地板２４に、吊梁受け金物２３を固定し、この吊梁受け金物２３に前記鋼製吊梁２の端部２ａを固定するので、前記鋼製吊梁２を架設する際の施工性やその施工中の安定性をも図ることができる。また、構造上の安定性も高めることができる。
【００２７】
【発明の実施の形態】
以下に、本発明に係る天井野縁構造の実施の形態例を図１から図１８に基づいて説明する。
【００２８】
先ず、図１は本発明を適用した一例としての天井野縁構造の平面図、図２は同要部を説明する図１のＡ−Ａ線矢視縦断面図である。
なお、本実施の形態における天井野縁構造が適用される構築物は、どの様に構成された構築物であってもよいが、この実施の形態では、木質パネル工法を用いて施工された複数階層を有する住宅であり、このような住宅の下階の天井に適用した場合を示す。また、前記木質パネルは、桟材を矩形枠状に組んでなる枠体の表裏両面のうち少なくとも表面に合板等の面材を貼設したもので、前記枠体内には必要に応じて補助桟材が縦横に組み付けられているものである。
【００２９】
図中、１は天井野縁構造、２は壁体（側壁）１１，１２間に水平に架設された鋼製吊梁、３は鋼製吊梁２に直交して配設されている鋼製野縁受け、４は野縁受け金物、６は鋼製吊梁２と平行に配設されている鋼製天井野縁（鋼製野縁）である。
【００３０】
この住宅の天井野縁構造１は、図１及び図２に示すように、下部に天井材９が取り付けられるスパンの長い鋼製天井野縁６，…と、これら鋼製天井野縁６，…が固定され、これら鋼製天井野縁６，…と直交するように配設されている鋼製野縁受け３と、これら鋼製野縁受け３，…を支持し、且つ側壁（左右の側壁）１１，１２間に、水平に平行に架設されている鋼製吊梁２，…と、鋼製野縁受け３を鋼製吊梁２に取り付ける野縁受け金物４とから概略構成されている。なお、この野縁受け金物４は、後述するが前記鋼製吊梁２に対する野縁受け金物４の固定位置を、上下方向と前記鋼製吊梁２の延在方向とに調整して位置決めすることができる調整固定手段である上部材４１，下部材４２，ボルト４４，４５を備えている。
【００３１】
鋼製吊梁２，…は、住宅の側壁１１，１２間で、かつ、上階の床部１０の下部で、側壁１１，１２に沿って所定間隔を開けて互いに平行に複数本架設されている。
この実施の形態では、側壁１１，１２間に、奥行き方向に約１Ｍ（モジュール）づつ間隔を開けて３本架設されている。ここで、Ｍ（モジュール）は基本単位寸法を示すもので、例えば、１Ｍ＝９１０ｍｍとなっている。また、この実施の形態の住宅では、側壁１１，１２の中心間の長さは８Ｍである。つまり、上述した鋼製吊梁２や鋼製天井野縁６は、側壁１１と側壁１２の間に架設されているものであり、約８Ｍの長さを有しているものである。
【００３２】
前記鋼製吊梁２，…は、それぞれ上下フランジ２０，２１と、これら上下フランジ２０，２１に挟まれたウェブ２２とからなるＨ型鋼であり、両端部２ａ，２ｂのウェブ２２には後述するボルト孔２７が設けられている。（図５〜図８参照。）
【００３３】
鋼製吊梁２の側壁１１，１２への接合状態を図３および図４に示す。
図３は、図１において、鋼製吊梁と壁部との接合部分を説明するＢ部分の拡大図、図４はＣ部分の拡大図である。
【００３４】
図３および図４に示すように、鋼製吊梁２はその両端部２ａ，２ｂで、鋼製吊梁受け金物２３，２３を介して、それぞれ側壁１１，１２に固定されている。
この鋼製吊梁受け金物２３は、側壁１１，１２の内壁面１１ａ，１２ａで、かつ水平方向（ここでは、住宅の奥行き方向）にそれぞれ固定された補強合板（下地材）２４，２４に固定されている。なお、図中の１１ｂ、１２ｂは、それぞれ側壁１１，１２を構成している壁パネル１１ｃ，１２ｃの表面に取り付けられている石膏ボードであり、それぞれの内壁面１１ａ、１２ａを有している。また、２５，…は鋼製吊梁受け金物２３，２３を補強合板２４，２４および側壁１１，１２に固定するスクリュー釘である。
【００３５】
なお、鋼製吊梁２の両端部２ａ，２ｂの側壁１１，１２への接合部分は、ほぼ同様な構成であるので、以下では、一方の端部２ａでの構成のみ説明し、他端部２ｂの説明は省略する。
【００３６】
図５〜図８を用いて、図１のＢ部分における鋼製吊梁２と側壁１１との接合状態を詳細に説明する。
図５は、図３の鋼製吊梁２端部２ａと側壁１１との接合部分を説明する図、図６は図３のＧ−Ｇ線矢視断面図、図７は側壁１１に固定された鋼製吊梁受け金物２３の側面図、図８は鋼製吊梁受け金物２３に鋼製吊梁２の端部２ａを配置した状態を説明する概略側面図である。
【００３７】
これら図に示すように、鋼製吊梁受け金物２３は、Ｌ字型の金物であり、補強合板２４を介して側壁１１に、側壁１１の内壁面１１ａに沿って固定される固定部２３ａと、固定部２３ａから鋼製吊梁２の延在方向に突出して設けられ（図７参照。）、該鋼製吊梁２を取り付ける梁取付部２３ｂとを有している。
固定部２３ａはスクリュー釘２５，…により補強合板２４および側壁１１に固定されており、梁取付部２３ｂは鋼製吊梁２の端部２ａのウェブ２２の側面に密着された状態で、ボルト２６およびナット２６ａによって固定されている。なお、ボルト２６の頭と梁取付部２３ｂ、ナット２６ａとウェブ２２との間には、それぞれワッシャが介設されている。
【００３８】
鋼製吊梁受け金物２３と鋼製吊梁２とを接合するボルト２６を挿通させるために、鋼製吊梁２の端部２ａのウェブ２２に設けられたボルト孔２７（図７の右側で示された鋼製吊梁２の端面図および図８参照。）は、該鋼製吊梁２の延在方向に長くなるように形成されている。このように構成されているため、図８に示すように、側壁１１に固定される鋼製吊梁受け金物２３に鋼製吊梁２を取り付ける際に、ボルト孔２７と、鋼製吊梁受け金物２３の梁取付部２３ｂのボルト孔２３ｃとがあわせ易くなっている。この実施の形態では、上下フランジ２０，２１間に梁取付部２３ｂが挟まれるような状態で構成されている。
【００３９】
このように、側壁１１，１２で、それぞれ、側壁１１，１２の内壁面１１ａ，１２ａに補強合板２４，２４を介して固定された鋼製吊梁受け金物２３，２３の鋼製吊梁２の延在方向に突出した梁取付部２３ｂ，２３ｂに、鋼製吊梁２の端部２ａ，２ｂが取り付けられることによって、前記鋼製吊梁２は側壁１１，１２間に水平に架設された状態となっている。
なお、図中、１６は鋼製天井野縁６の端部を受けるランナー（従来のものと同様の構成の野縁受け金物）、１８はランナー１６を固定し、補強合板２４に当接ているとともに、下部に設けられた、防火のための石膏ボード１９と底目地ジョイナー５９とを介して、耐火材である天井材９の端部を固定する桟材である。
詳細には、この実施の形態における鋼製天井野縁６の端部６ａは、対向する側壁１１，１２の内壁面１１ａ，１２ａに、開口部が対向するように固定された断面コ字状のランナー（端部受け材）１６，１６のそれぞれの開口部に嵌合されている。天井材９の端部は壁体１１の内壁面１１ａに当接しておらず、前記桟材１８が天井と壁の接合部分の底目地となっている。
【００４０】
このように、鋼製吊梁２と直交する方向に延在するように壁体１１に固定された桟材１８に固定された端部受け材１６に、鋼製野縁６の端部６ａが固定されており、鋼製野縁６の下部に取り付けられた天井材９の端部が壁体１１に当接せずに、上記のように天井の縁部が底目地となるように構成されていても、該桟材１８の下面に石膏ボード１９といった耐火材が取り付けられていることにより、天井端部の納まり部分の防火が行われている。
【００４１】
また、桟材１８に当接した状態で壁体１１に固定されている補強合板２４には、鋼製吊梁受け金物２３が固定され、この鋼製吊梁受け金物２３には、鋼製吊梁２の端部２ａが固定されているので、壁体１１に桟材１８または下地材２４のうちいずれか一方を正確な位置、例えば、水平方向に固定しておけば、他方を壁体１１に固定する際、固定された一方に当接させて壁体１１に固定することにより、その位置決めを容易におこなうことが出来、施工期間を短縮することができる。
【００４２】
さらに、桟材１８を壁体１１に取り付けてから、補強合板２４を壁体１１に固定する際、桟材１８に当接させて安定した状態で固定することができ、その施工性が向上する。さらに、壁体１１に安定した状態で固定された補強合板２４に、鋼製吊梁受け金物２３を固定し、この鋼製吊梁受け金物２３に鋼製吊梁２の端部２ａを固定するので、鋼製吊梁２を架設する際の施工性やその施工中の安定性をも図ることができる。また、構造上の安定性も高めることができる。
【００４３】
また、桟材１８は、側壁１１〜１４の内側に取り付けられる天井野縁構造１の周囲ほぼ水平に配置されている。便宜上、側壁（前方の壁、後方の壁）１３，１４に設けられていた桟材は１８ａを符号を付す。そして、これら桟材１８のうち、前方の壁１３および後方の壁１４に沿って固定されている桟材１８ａ，１８ａは、それぞれの中央部で、該桟材１８ａと直交するように配置されている鋼製野縁受け３（後述する。）の端部３ａ，３ｂを固定している。（図９参照。）
【００４４】
このように側壁１１，１２間には、鋼製吊梁２は、互いに平行に水平方向に、つまり、奥行き方向に並べて、３本所定間隔を開けて架設されており、これら鋼製吊梁２の中央部の内間には、鋼製野縁受け３，…が鋼製吊梁２と直交する方向に野縁受け金物４を介して取り付けられている。
【００４５】
鋼製野縁受け３，…は、断面コ字状の部材からなり、前方の壁１３と、前方の壁１３と対向する後方の壁１４との間に鋼製吊梁２を介して、平面視してほぼ直線状に一列に配設されているものである。この実施の形態では、鋼製野縁受け３はＵ字型チャンネルを使用している。
【００４６】
このように配置された鋼製野縁受け３のうち、鋼製吊梁２間に配設される鋼製野縁受け３（図中３Ｂ，３Ｃ）はそれぞれ、鋼製吊梁２の上下フランジ２０，２１の間に、鋼製吊梁２と直交するように配置されており、一端部３ａが前方の壁１３または後方の壁１４に固定される鋼製野縁受け３（図１の３Ａ，３Ｄ）は、他端部３ｂが鋼製吊梁２の上下フランジ２０，２１間に配置され、野縁受け金物４を介して鋼製吊梁２に固定支持された状態となっている。
【００４７】
図９は、図１におけるＤ部分の拡大図であり、鋼製野縁受け３の端部の壁際の納まりを示す。
他端部が鋼製吊梁２の上下フランジ２０，２１間に配置された、壁１３と鋼製吊梁２、および壁１４と鋼製吊梁２との間に配設される鋼製野縁受け３（図１中３Ａ，３Ｄ）のそれぞれの一端部３ａ，３ａの壁際の納まりは、図９に示すように、それぞれの一端部３ａ，３ａを桟材１８ａの上部に配置し、他端部３ｂ，３ｂは野縁受け固定部材３０を介して固定されている。
【００４８】
野縁受け固定部材３０は断面Ｌ字状の部材であり、桟材１８に固定される固定部３０ａと、該固定部３０ａに、固定部３０ａの鉛直上方に突出して設けられた、鋼製野縁受け３の一端部３ａを接合する接合部３０ｂとを有している。
鋼製野縁受け３の一端部３ａと接合部３０ｂとの接合、固定部３０ａと桟材１８ａとの接合は、それぞれ止着部材３３，３３でそれぞれ止着されている。なお、この図に示すように、桟材１８ａの下面には上述したものと同様の石膏ボード１９が設けられている。
【００４９】
次に、鋼製野縁受け３の鋼製吊梁２への取り付け構造について説明する。
図１０は図１におけるＨ部分の拡大図、図１１は野縁受け金物４を介して鋼製吊梁２に取り付けられた鋼製野縁受け３を示す図であり図１０のＪ−Ｊ線矢視断面図、図１２は図１１の野縁受け金物４を鋼製野縁受け側から見た図、図１３は鋼製吊梁２と鋼製野縁受け３との取付部分の要部を示す鋼製吊梁２に取り付けられた野縁受け金物４の斜視図である。
【００５０】
鋼製野縁受け３は、野縁受け金物４を介して鋼製吊梁２に取り付けられているものである。なお、図１０〜図１３に示された鋼製吊梁２には、２つの野縁受け金物４が鋼製吊梁２の両側方にそれぞれ配設されているが、これら野縁受け金物４の形状は同一のものであり、鋼製吊梁２のウェブを中心として左右対称の構造となっているので、一方の野縁受け金物４の説明は、同符号を付して省略する。
【００５１】
図１０〜図１３に示すように、互いに平行に架設された鋼製吊梁２の内間に配置される鋼製野縁受け３（図１中の３Ｂ，３Ｃ）の端部３ｄ，…は、それぞれ直交するように配設されている鋼製吊梁２の上下フランジ２０，２１間に、ウェブ２２に近接するように配置されており、これら鋼製野縁受け３の端部３ｄは、野縁受け金物４，…を介して前記鋼製吊梁２に取り付けられている。また、鋼製野縁受け３Ｂ，３Ｃにはクリップ金物５を介して鋼製天井野縁６，…がそれぞれ所定間隔を開けて設けられている。
【００５２】
野縁受け金物４は、取り付けられている鋼製吊梁２の上方と下方に配設される上部材４１と下部材４２と、これら上部材４１と下部材４２とを結合している結合部４３とを有し断面コ字状に形成されているものである。（図１４参照。）
これら上部材４１と下部材４２には、それぞれ野縁受け金物４の固定位置調整用のボルト４４，４５が、鋼製吊梁２に向かって突出可能にそれぞれ螺合されており、ボルト４４，４５が所定の位置で締め込まれることによって、先端部４４ａ、４５ａを鋼製吊梁２の上フランジ２０、下フランジ２１にそれぞれ当接させて、鋼製吊梁２を上下方向から挟み、野縁受け金物４を鋼製吊梁２に固定している。
【００５３】
鋼製野縁受け３の端部３ｄは、野縁受け金物４の結合部４３の開口部４６に挿通され、野縁受け固定用ボルト（ボルト）４９を締結することにより、鋼製野縁受け３の下面が開口部４６の下側縁部と下突片４６ｂに当接して、該鋼製野縁受け３が、開口部４６の下側縁部と下突片４６ｂと、野縁受け固定用ボルト４９の先端部４９ａとで挾持され、野縁受け金物４に固定された状態となっている。
【００５４】
また、野縁受け金物４の上下部材４１，４２のボルト孔４１ａ，４２ａにそれぞれ螺合されているボルト４４，４５の先端部４４ａ，４５ａに、鋼製吊梁２の上下フランジ２０，２１が挟まれていることにより、野縁受け金物４は鋼製吊梁２に固定されている。
【００５５】
クリップ金物５は、鋼製野縁受け３に、鋼製天井野縁６を該鋼製野縁受け３の延在方向と直交する方向に取り付けており、上部に鋼製野縁受け３に掛止される掛止部５ａと、下部に掛止部５ａに連続して設けられ、鋼製天井野縁６の側面を挟むように下方に開口が向けられたコ字状の野縁取付部５ｂとを有し、鋼製天井野縁６は野縁取付部５ｂの開口部に内嵌され鋼製天井野縁６の側方からテクスビス５１，…などの止着部材によって固定されている。なお、掛止部５ａも、図１０に示すように、テクスビス５１で鋼製野縁受け３に固定されている。
【００５６】
ここで、図１４を用いて野縁受け金物４の構成を説明する。
図１４は野縁受け金物の正面と背面の斜視図である。
【００５７】
この図に示すように、上下部材４１，４２を結合している結合部４３は、鋼製野縁受け３が挿通される開口部４６と、開口部４６の上方に設けられた開口部４７の下側縁部から、鋼製野縁受け３の挿通方向に突出して設けられた突部４８と、開口部４６の下側縁部から開口部４６部分の部材を折曲するようにして設けられた下突片４６ｂとを有している。
なお、上下部材４１，４２の間の幅ｍの長さ分が、野縁受け金物４の、取り付けられる鋼製吊梁２に対する上下方向の移動可能幅と対応しており、この幅ｍ内が長ければ、野縁受け金物４の移動可能幅も長くなる。
【００５８】
この野縁受け金物４の開口部４６は、鋼製野縁受け３が挿通される大きさのものであるならば、どのような大きさに形成されていてもよいが、鋼製野縁受け３の断面の輪郭とほぼ同じ大きさであることが望ましい。
下突片４６ｂは、挿通される鋼製野縁受け３を支持するために、該鋼製野縁受け３の挿通方向（結合部４３に対して直交する方向）に突出された状態となっている。また、上下部材４１，４２には、ボルト４４，４５をそれぞれ螺合するためのボルト孔４１ａ，４２ａが形成されている。
【００５９】
そして、突部４８は、開口部４６の上縁部に設けられた状態となっており、この突部４８には、野縁受け固定用ボルト４９が前記開口部４６に挿通される前記鋼製野縁受け３に向かって突出可能に螺合される（図１０〜図１３参照。）ボルト孔４８ａが形成されている。
この突部４８は、開口部４７部分を折曲して形成されたものである。なお、突部４８は開口部４６の上縁から所定間隔（図中ｎ）開けて設けられているが、この長さｎは任意であり、どのような間隔で設けられていても良いが、ボルト孔４８ａに螺合される野縁受け固定用ボルト４９の軸部より短く構成されているものである。
【００６０】
上述した野縁受け金物４は、図１５に示すように、鋼製の板を折曲して形成されているものである。
図１５は野縁受け金物の製作工程を示すものであり、（ａ）は形成前の板状の野縁受け金物、（ｂ）は形成された野縁受け金物である。
【００６１】
図に示すように、鋼製板を上部材部分４１Ａおよび下部材部分４２Ａを折り目４ｂで、それぞれ互いに対向するように折曲して、上下部材を４１，４２を形成する。この板の状態の野縁受け金物４では、開口部４６の上左右側縁部分に相当する箇所に切り込みが形成され、該開口部４６内には下側縁部に設けられる下突片４６ｂが配置されており、これを折り目４ｄ（開口部４６の下側縁部）で直角に折り返すことで、下突片４６ｂが形成される。
さらに、開口部分４７Ａの部材の一部を、該開口部分４７Ａの下側縁部の折り目４ｄから、上下部材部分４１Ａ，４２Ａを折曲する方向と反対の方に折曲することにより突部４８が形成される。
このように、本実施の形態における野縁受け金物４は、鋼製の板に切り込みをいれたり折曲したりするだけで鋼製の板から製作することができ、その製作が容易である。
【００６２】
次に、上記のような構成の野縁受け金物４を介して、鋼製天井野縁６が取り付けられた鋼製野縁受け３を、鋼製吊梁２に取り付ける場合について、図１６〜図１８を用いて説明する。
図１６は鋼製野縁受け３に野縁受け金物４，４をセットした状態を示す図、図１７は野縁受け金物４，４をセットした鋼製野縁受け３を鋼製吊梁２間に填め込んだ状態を示す図、図１８は鋼製野縁受け３を野縁受け金物４を介して鋼製吊梁２に固定した状態を示す図である。
【００６３】
図１６に示すように、先ず、野縁受け金物４の開口部４６に鋼製野縁受け３を挿入した状態で、鋼製野縁受け３に野縁受け金物４，４を取り付ける。これは、鋼製吊梁２間に配置される鋼製野縁受け３は、両端部に野縁受け金物４を配置させる必要があるため、それぞれの上下部材が外側に向くように２つ挿通させる。なお、予め野縁受け金物４には、ボルト４４，４５がれぞれ、外れない程度に取り付けられており、野縁受け固定用ボルト４９のみぐらつかない程度に締められた状態としておく。
【００６４】
このように野縁受け金物４，４がセットされた鋼製野縁受け３を、側壁１１，１２間に架設されている隣接する鋼製吊梁２，…の内間に、該鋼製吊梁２のほぼ中央部に、かつ鋼製吊梁２，２に直交する方向に延在するように填め込む。
鋼製野縁受け３を鋼製吊梁２，２の内間の所定の位置に配置したあと、野縁受け金物４を鋼製野縁受け３の端部にそれぞれ移動させ（矢印方向）、つまり、鋼製吊梁２の側面に寄せ、野縁受け金物４の上下部材間に、鋼製吊梁２が位置するような状態とする。（図１７参照。）このとき、野縁受け金物４のボルト４４，４５はあらかじめ緩めておき、ボルト４４，４５の先端部４４ａ，４５ａ間に鋼製吊梁２が介在しやすいようにしておく。
【００６５】
そして、鋼製野縁受け３の鋼製吊梁２に対する位置確認をした後、図１８に示すように、野縁受け金物４の各ボルト４４，４５を締め込むことにより、鋼製野縁受け３を鋼製吊梁２の所定の位置で固定する。つまり、野縁受け固定用ボルト４９を締め込んで鋼製野縁受け３の上面に野縁受け固定用ボルト４９の先端を当接させて、鋼製野縁受け３を開口部４６の下側開口縁部とで挾持させて固定した状態とし、またボルト４４，４５を締め込んで、先端部４４ａ，４５ａを鋼製吊梁２の上下部材２０，２１に当接させて、鋼製吊梁２に野縁受け金物４を固定する。なお、これらボルト４４，４５の締め具合により、野縁受け金物４の鋼製吊梁２に対する上下方向の位置を決めることができる。また、これらボルト４４，４５のうち少なくともいずれか一方のボルトを緩めることによって、野縁受け金物４は、鋼製吊梁２の延在方向に移動可能となる。
【００６６】
このように鋼製吊梁２に支持されている鋼製野縁受け３の所定の位置にクリップ金物５の上部の掛止部５ａを掛止し、下部の野縁取付部５ｂに鋼製天井野縁６をテクスビス５１などの止着部材で固定する。（図１０参照。）
このようにして、鋼製天井野縁６を鋼製野縁受け３と直交する方向に、つまり、奥行き方向に所定間隔を開けて複数本配置する。
【００６７】
次に、鋼製天井野縁６の配置間隔を確認してから、鋼製野縁受け３に掛止されている掛止部５ａをそれぞれの箇所でテクスビス５１などの止着部材によって固定する。また、鋼製天井野縁６の両端部は、側壁１１，１２に設けられているランナー１６（図１〜図５参照。）の開口部に内嵌させて固定する。
鋼製天井野縁６の配置と固定の作業が終了した後、鋼製天井野縁６の下端面のたわみを確認して、野縁受け金物４の上下のボルトを調整して合わせ、野縁受け金物４を確実に鋼製吊梁２に固定する。
最後に、このように支持されている鋼製天井野縁６の下面に、天井材９である石膏ボードを取り付けて天井が設けられる。
【００６８】
上記実施の形態の天井野縁構造１によれば、それぞれの鋼製野縁６，…は、鋼製野縁受け３，…に固定され、これら鋼製野縁受け３は、構築物の壁体１１，１２間に水平に架設された鋼製吊梁２によって支持されているので、鋼製野縁６は、鋼製野縁受け３を介して鋼製吊梁２により吊り下げられて支持された状態となり、スパンの長い鋼製野縁６，…であっても、鋼製野縁６，…は鋼製吊梁２，…に支持されるものとなり、該鋼製野縁６，…は撓まず、鋼製吊梁２，…にそれぞれ十分支持された状態となる。よって、鋼製野縁６，…に取り付けられている天井材９が撓んだり、この天井材９の下面が下がることがない。
また、天井材９が固定されている鋼製野縁６，…は、鋼製吊梁２，…によって支持されているので、上階の床部１０の振動が鋼製野縁受け３を介して鋼製野縁６に伝わることがない。
【００６９】
さらに、鋼製野縁受け３を鋼製吊梁２に取り付ける野縁受け金物４は、鋼製吊梁２の上方と下方に配設される上部材４１と下部材４２に、鋼製吊梁２に向かって突出可能にそれぞれ螺合されたボルト４４，４５の締め具合を調節することにより、先端部４４ａ，４５ａを鋼製吊梁２に上下方向から当接させて、該鋼製吊梁２に野縁受け金物４を位置決め固定することができる。つまり、ボルト４４，４５の締め具合で、鋼製吊梁２に対する野縁受け金物４の固定位置を、上下方向と鋼製吊梁２の延在方向とに調整して位置決めすることが容易に行え、これに追従して鋼製野縁６の配置位置も容易に行うことができる。
【００７０】
つまり、上部材４１に螺合されているボルト４４を緩めておいて、下部材４２に螺合されているボルト４５を締めたり緩めたりすることにより、野縁受け金物４の鋼製吊梁２に対する位置が上下する。そして、所定の位置に野縁受け金物４を配置してから、上部材４１に螺合されているボルト４４を鋼製吊梁２に向かって突出させて、該ボルト４４の先端部４４ａを鋼製吊梁２に当接させることにより、野縁受け金物４を鋼製吊梁２に固定することができる。
これに対して、下部材４２に螺合されているボルト４５を緩めておいて、上部材４１に螺合されているボルト４４を締めたり緩めたりしても、同様の作用効果を得ることできる。
【００７１】
特に上下方向に調節することができることにより、野縁受け金物４を介して鋼製吊梁２に取り付けられる鋼製野縁６の上下方向の位置を調節することができるので、部材や取り付け設計寸法の誤差などによって、鋼製野縁６に取り付けられる天井材９が水平に配設されない場合でも、容易に調節して変更することができる。
【００７２】
また、野縁受け金物４は、鋼製野縁受け３が挿通される開口部４６と、該開口部４６の縁部に、鋼製野縁受け３の挿通方向に突出された突部４８と、この突部４８に、開口部４６に挿通される鋼製野縁受け３に向かって突出可能に螺合された野縁受け固定用ボルト４９とを具備しているので、開口部４６に鋼製野縁受け３を挿通させて野縁受け固定用ボルト４９を締めれば、該野縁受け固定用ボルト４９の先端４９ａが鋼製野縁受け３に当接することなり、該野縁受け固定用ボルト４９の先端４９ａと開口部４６の縁部とで鋼製野縁受けを挾持することができる。
したがって、鋼製野縁受け３を、野縁受け金物４に、該野縁受け金物４の開口部４６に挿通して野縁受け固定用ボルト４９を締めることによって、容易に固定することできる。
【００７３】
また、鋼製野縁受け３は、構築物の壁体１１，１２間に水平に架設された鋼製吊梁２の有する上下フランジ２０，２１の間に配置されているので、鋼製野縁受け３を配置する際、容易に、水平に配置することができる。さらに、鋼製野縁受け３の端部が鋼製吊梁２の上下フランジ２０，２１間に配置されるように構成されていれば、鋼製野縁受け３を鋼製吊梁２によって支持されるように設置する際に微妙な調整などを行うときに、鋼製野縁受け３が自重で下方に下がっても、鋼製吊梁２の下フランジ２１に掛止され、鋼製野縁受け３の自重による該鋼製野縁受け３の固定位置調整作業の妨げを防ぐことが出来、該固定位置調整作業が容易に行える。
【００７４】
なお、以上の実施の形態例においては、本実施の形態を適用した構築物を木質パネル工法の住宅として説明したが、本発明はこれに限定されるものではない。
【００７５】
【発明の効果】
以上のように、請求項１記載の発明に係る天井野縁構造によれば、鋼製野縁は鋼製野縁受けに固定され、この鋼製野縁受けは、構築物の壁体間に水平に架設された鋼製吊梁によって支持されているので、前記鋼製野縁は、前記鋼製野縁受けを介して前記鋼製吊梁により吊り下げられて支持された状態となる。
【００７６】
したがって、スパンの長い鋼製野縁であっても、前記鋼製野縁は前記鋼製吊梁に支持されるものとなり、該鋼製野縁は撓まず、前記鋼製吊梁に十分支持された状態となる。よって、前記鋼製野縁に取り付けられている天井材が撓んだり、この天井材の下面が下がることがない。また、前記天井材が固定されている鋼製野縁は、前記鋼製吊梁によって支持されているので、この構造を複数階層を有する構築物の下階の天井に適用した場合、上階の床部の振動が前記鋼製野縁受けを介して前記鋼製野縁に伝わることがない。
また、前記鋼製野縁受けを鋼製吊梁に取り付ける前記野縁受け金物には、前記鋼製吊梁に対する野縁受け金物の固定位置を、上下方向と前記鋼製吊梁の延在方向とに調整して位置決めすることができる調整固定手段が設けられているので、この調整固定手段により前記鋼製吊梁に対する野縁受け金物の固定位置を調節して位置決め固定することができ、この野縁受け金物を介して前記鋼製吊梁に取り付けられている前記鋼製野縁の配置位置を変更することができる。特に、上下方向に調節することができることにより、前記野縁受け金物を介して前記鋼製吊梁に取り付けられる前記鋼製野縁の上下方向の位置を調節することができるので、部材や取り付け設計寸法の誤差などによって、前記鋼製野縁に取り付けられる天井材が水平に配設されない場合でも、容易に調節して変更することができる。
【００７８】
請求項２記載の発明に係る天井野縁構造によれば、請求項１に記載の発明と同様の効果を得ることができるとともに、前記野縁受け金物の上下部材にそれぞれ螺合されたボルトの締め具合を調節することにより、先端を前記鋼製吊梁に上下方向から当接させて、該鋼製吊梁に前記野縁受け金物を位置決め固定することができる。したがって、前記ボルトを締めたり緩めたりすることにより、前記野縁受け金物の、前記鋼製吊梁に対する固定位置を容易に吊設することができ、これに追従して前記鋼製野縁の配置位置も容易に位置決め固定することができる。
【００７９】
請求項３記載の発明に係る天井野縁構造によれば、請求項１または２記載の発明と同様の効果を得ることができるとともに、前記開口部に前記鋼製野縁受けを挿通させて前記ボルトを締めれば、該ボルトの先端が前記鋼製野縁受けに当接することなり、該ボルトの先端と前記開口部の縁部とで前記鋼製野縁受けを挾持することができる。よって、前記野縁受けを、前記野縁受け金物に該野縁受け金物の開口部に挿通して前記ボルトを締めることによって、容易に固定することができる。また、前記前記鋼製野縁の前記取り付け金物に対する固定位置を変更する場合でも、ボルトを緩めて、前記野縁受け金物に対して所定の位置に前記鋼製野縁を移動させて前記ボルトを締めることにより、容易にその位置変更を行うことができる。
【００８０】
請求項４記載の発明に係る天井野縁構造によれば、請求項１〜３のいずれかに記載の発明と同様の効果を得ることができるとともに、前記鋼製野縁受けを配置する際、容易に、水平に配置することができる。
【００８１】
請求項５記載の発明に係る天井野縁構造によれば、請求項１〜４のいずれかに記載の発明と同様の効果を得ることができるとともに、前記鋼製野縁の下部に取り付けられた天井材の端部が前記壁体に当接せず、前記桟材が底目地となるように天井端部の納まりを底目地状態とする場合、該桟材の下面に石膏ボードといった耐火材を取り付けることができ、天井端部の納まり部分の防火を容易に行える。
【００８２】
請求項６記載の発明に係る天井野縁構造によれば、請求項５記載の発明と同様の効果を得ることができるとともに、前記桟材に当接した状態で前記壁体に固定されている前記下地板には、吊梁受け金物が固定され、この吊梁受け金物には、前記鋼製吊梁の端部が固定されているので、前記壁体に前記桟材または前記下地材のうちいずれか一方を正確な位置、例えば、水平方向に固定しておけば、他方を前記壁体に固定する際、固定された一方に当接させて前記壁体に固定することにより、その位置決めを容易におこなうことができ、施工期間を短縮することができる。また、桟材を前記壁体に取り付けてから、前記下地板を前記壁体に固定する際、前記桟材に当接させて安定した状態で固定することができ、下地板の固定、吊梁受け金物の固定などの前記鋼製吊梁を架設する際の施工性やその施工中の安定性を図ることができる。また、構造上の安定性も高めることができる。
【図面の簡単な説明】
【図１】本発明を適用した一例としての天井野縁構造の平面図である。
【図２】本発明を適用した一例としての天井野縁構造の要部を説明する図１のＡ−Ａ線矢視縦断面図である。
【図３】図１において、鋼製吊梁と壁部との接合部分を説明するＢ部分の拡大図である。
【図４】図１における、Ｃ部分の拡大図である。
【図５】図３の鋼製吊梁２端部２ａと側壁１１との接合部分を説明する図である。
【図６】図３のＧ−Ｇ線矢視断面図である。
【図７】側壁１１に固定された鋼製吊梁受け金物２３の側面図である。
【図８】鋼製吊梁受け金物２０に鋼製吊梁２の端部２ａを配置した状態を説明する概略側面図である。
【図９】図１におけるＤ部分の拡大図である。
【図１０】図１におけるＨ部分の拡大図である。
【図１１】図１０のＪ−Ｊ線矢視断面図である。
【図１２】図１１の野縁受け金物４を鋼製野縁受け側から見た図である。
【図１３】鋼製吊梁２と鋼製野縁受け３との取付部分の要部を示す鋼製吊梁２に取り付けられた野縁受け金物４の斜視図である。
【図１４】野縁受け金物の正面と背面の斜視図である。
【図１５】  野縁受け金物の製作工程を示すものであり、（ａ）は形成前の板状の野縁受け金物、（ｂ）は形成された野縁受け金物である。
【図１６】  鋼製野縁受け３に野縁受け金物４，４をセットした状態を示す図である。
【図１７】  野縁受け金物４，４をセットした鋼製野縁受け３を鋼製吊梁２間に填め込んだ状態を示す図である。
【図１８】鋼製野縁受け３を野縁受け金物４を介して鋼製吊梁２に固定した状態を示す図である。
【符号の説明】
１    天井野縁構造
２    鋼製吊梁
３    鋼製野縁受け
４    野縁受け金物
６    鋼製天井野縁（鋼製野縁）
６ａ  鋼製天井野縁の端部
９    天井材
１１    側壁（壁体）
１２    側壁（壁体）
１６    ライナー（端部受け材）
１８    桟材
１９    石膏ボード
２０    上フランジ
２１    下フランジ
２３    鋼製吊梁受け金物
２４    補強合板（下地材）
４１    上部材（調整固定手段）
４２    下部材（調整固定手段）
４４    ボルト（調整固定手段）
４５    ボルト（調整固定手段）
４６    開口部
４８    突部
４９    野縁受け固定用ボルト（ボルト）
【図１】
0004159144.tif 000002
【図２】
0004159144.tif 000003
【図３】
0004159144.tif 000004
【図４】
0004159144.tif 000005
【図５】
0004159144.tif 000006
【図６】
0004159144.tif 000007
【図７】
0004159144.tif 000008
【図８】
0004159144.tif 000009
【図９】
0004159144.tif 000010
【図１０】
0004159144.tif 000011
【図１１】
0004159144.tif 000012
【図１２】
0004159144.tif 000013
【図１３】
0004159144.tif 000014
【図１４】
0004159144.tif 000015
【図１５】
0004159144.tif 000016
【図１６】
0004159144.tif 000017
【図１７】
0004159144.tif 000018
【図１８】
0004159144.tif 000019